(57)【要約】【課題】ハンドル部の薄型化を可能とすることで、デザインの自由度を向上できるディスプレイ装置の提供。【解決手段】合成樹脂製の筐体１２の背面側に一体に形成されるとともに下側に指挿入空間２７が設けられたハンドル部２４を金属製の補強部材４０で補強する。これにより、ハンドル板部２４の厚みを厚くすることなく、強度を確保することができる。【選択図】図４
2007178503.tif 000002
【特許請求の範囲】
【請求項１】
合成樹脂製の筐体の背面側に一体に形成されるとともに下側に指挿入空間が設けられたハンドル部を金属製の補強部材で補強してなることを特徴とするディスプレイ装置。
【請求項２】
前記補強部材は前記ハンドル部の下面側に設けられていることを特徴とする請求項１記載のディスプレイ装置。
【請求項３】
前記ハンドル部の下面の内側には、上側に段差状をなす段差部が形成されており、該段差部に前記補強部材が配置されていることを特徴とする請求項２記載のディスプレイ装置。
【請求項４】
前記補強部材の下面に滑止部が設けられていることを特徴とする請求項２または３記載のディスプレイ装置。
【請求項５】
前記補強部材は、前記筐体に取り付けられることを特徴とする請求項１乃至４のいずれか一項記載のディスプレイ装置。
【請求項６】
前記補強部材は、前記筐体内に設けられた金属製の内部シャーシに固定されることを特徴とする請求項１乃至５のいずれか一項記載のディスプレイ装置。
【請求項７】
前記ハンドル部が、一枚の板状をなして前記筐体の上面位置に形成されていることを特徴とする請求項１乃至６のいずれか一項記載のディスプレイ装置。
【発明の詳細な説明】
【技術分野】
【０００１】
本発明は、ディスプレイ装置に関し、特に持ち運び時等に使用されるハンドル部の改良に関する。
【背景技術】
【０００２】
ディスプレイ装置には、持ち運び時等に使用されるハンドル部が背面側に設けられたものがある（例えば特許文献１参照）。持ち運び等を行う人は、ハンドル部の下側の指挿入空間に指を挿入しハンドル部を把持してディスプレイ装置を持ち上げることになる。
【特許文献１】特開２００５−２６６３９６号公報
【発明の開示】
【発明が解決しようとする課題】
【０００３】
この種のハンドル部を、ディスプレイ装置の合成樹脂製の筐体に一体成形する場合があり、この場合、合成樹脂製のハンドル部の強度を確保するために、ハンドル部の厚みを厚くする必要があって、デザインの自由度に制約を受ける可能性があった。
【０００４】
したがって、本発明は、ハンドル部の薄型化を可能とすることで、デザインの自由度を向上できるディスプレイ装置の提供を目的とする。
【課題を解決するための手段】
【０００５】
上記目的を達成するために、請求項１に係る発明は、合成樹脂製の筐体の背面側に一体に形成されるとともに下側に指挿入空間が設けられたハンドル部を金属製の補強部材で補強してなることを特徴とする。
【０００６】
請求項２に係る発明は、請求項１に係る発明において、前記補強部材は前記ハンドル部の下面側に設けられていることを特徴とする。
【０００７】
請求項３に係る発明は、請求項２に係る発明において、前記ハンドル部の下面の内側には、上側に段差状をなす段差部が形成されており、該段差部に前記補強部材が配置されていることを特徴とする。
【０００８】
請求項４に係る発明は、請求項２または３に係る発明において、前記補強部材の下面に滑止部が設けられていることを特徴とする。
【０００９】
請求項５に係る発明は、請求項１乃至４のいずれか一項に係る発明において、前記補強部材は、前記筐体に取り付けられることを特徴とする。
【００１０】
請求項６に係る発明は、請求項１乃至５のいずれか一項に係る発明において、前記補強部材は、前記筐体内に設けられた金属製の内部シャーシに固定されることを特徴とする。
【００１１】
請求項７に係る発明は、請求項１乃至６のいずれか一項に係る発明において、前記ハンドル部が、一枚の板状をなして前記筐体の上面位置に形成されていることを特徴とする。
【発明の効果】
【００１２】
請求項１に係る発明によれば、筐体に一体に形成された合成樹脂製のハンドル部を金属製の補強部材で補強するため、ハンドル部の厚みを厚くすることなく、強度を確保することができる。したがって、ハンドル部の薄型化が可能となり、デザインの自由度を向上できる。また、ハンドル部のために必要なスペースの省スペース化が図れる。しかも、金属製の補強部材で補強するため、コスト増を抑制できる。
【００１３】
請求項２に係る発明によれば、補強部材がハンドル部の下面側に設けられているため、金属製の補強部材が外観し難くなり、外観を損なうことを防止できる。
【００１４】
請求項３に係る発明によれば、ハンドル部の下面の内側に形成された段差部に補強部材が配置されているため、金属製の補強部材がさらに外観し難くなり、外観を損なうことを確実に防止できる。
【００１５】
請求項４に係る発明によれば、補強部材の下面に滑止部が設けられているため、把持性を向上できる。
【００１６】
請求項５に係る発明によれば、補強部材が筐体に取り付けられるため、筐体に取り付けて取り扱うことができ、取り扱い性を向上できる。
【００１７】
請求項６に係る発明によれば、補強部材が筐体内に設けられた金属製の内部シャーシに固定されているため、樹脂製のハンドル部をさらに確実に補強することができる。
【００１８】
請求項７に係る発明によれば、ハンドル部が、一枚の板状をなして筐体の上面位置に形成されているため、良好なデザインにできる。
【発明を実施するための最良の形態】
【００１９】
本発明の一実施形態のディスプレイ装置を図面を参照して以下に説明する。
本実施形態のディスプレイ装置１０は、例えばパーソナルコンピュータの表示装置として用いられるもので、図１および図２に示すように、ディスプレイ本体１１の背面側が合成樹脂製の一体成形品である筐体１２で覆われて構成されている。ディスプレイ本体１１は、表示を行う図示略の液晶画面と種々の部品類とが金属製の略箱状の内部シャーシ１３に取り付けられ、液晶画面の周囲が樹脂製の前面カバー１４で囲まれて構成されている。
【００２０】
筐体１２は横長の略長方形枠状に形成された外周枠板部１５と、この外周枠板部１５の一端縁部の全周から内側に延出する中間背面板部１６と、この中間背面板部１６の内周縁部から外周枠板部１５とは反対側に略長方形枠状に突出する中間枠部１７と、この中間枠部１７の中間背面板部１６とは反対の端縁部の全周から内側を閉塞させるように形成された最も背面側に位置する背面板部１８とを有している。
【００２１】
ここで、中間枠部１７の上端部は、図３に示すように、左右両側にあって左右方向に沿い且つ同一平面上に配設される左右一対の横板部２１，２１を有しており、これら横板部２１，２１の間には、横板部２１，２１のそれぞれの相互近接側から上下両側に延出する一対の縦板部２２，２２と、これら縦板部２２，２２の下端部同士を左右方向につなぐ下板部２３と、縦板部２２，２２の上端部同士を左右方向につなぐハンドル板部（ハンドル部）２４とを有している。なお、一対の縦板部２２，２２、下板部２３およびハンドル板部２４は、中間背面板部１６および背面板部１８に対し直交しており、筐体１２の一体成形時に形成される。
【００２２】
そして、上記した一対の縦板部２２，２２、下板部２３およびハンドル板部２４で囲まれた内側部分は、筐体１２の背面側から正面側に貫通しており、ハンドル板部２４を把持する際に指が挿入される指挿入空間２７を画成している。つまり、筐体１２の背面側に一体に形成されたハンドル板部２４の下側には、左右方向に延在する指挿入空間２７が設けられている。なお、筐体１２においてハンドル板部２４よりも上側には何も存在せず、よって、ハンドル板部２４は、一枚の板状をなして筐体１２の上面位置に形成されている。
【００２３】
図４に示すように、ハンドル板部２４の下面３０つまり指挿入空間２７に臨む面には、内側に、上側に所定の高さ高くなるように段差状をなす段差部３１が形成されている。つまり、ハンドル板部２４の下面３０は、略水平に配置される外側面部３２と、この外側面部３２の内側にあってこの外側面部３２と平行且つこの外側面部３２よりも高さの高い内側面部３３と、これら外側面部３２および内側面部３３の近接側同士をつなぐようにこれら外側面部３２および内側面部３３に垂直をなす段面部３４とを有しており、内側面部３３と段面部３４とで段差部３１が構成されている。なお、段面部３４には、内側面部３３と上面が面一をなすように外側に凹む凹部３５が、指挿入空間２７の左右方向の全長にわたって延在するように形成されている。
【００２４】
また、指挿入空間２７の下側を画成する下板部２３の内側には、ネジ穴３８が外側に向けて複数、具体的には左右二箇所に形成されている。
【００２５】
そして、本実施形態においては、ハンドル板部２４を補強する金属製、具体的には鋼板製の補強板（補強部材）４０が設けられることになる。この補強板４０は、互いに略直交するいずれも略長方形状をなす取付板部４１と支持板部４２とを有しており、板材から断面Ｌ字状をなすように板金加工されている。また、取付板部４１には、支持板部４２とは反対側の端部にネジ挿入穴４４が複数、具体的には両側二箇所に形成されており、中間位置にネジ挿入穴４５が複数、具体的には左右二箇所に形成されている。さらに、支持板部４２の取付板部４１側の面には、不織布等の滑止性および断熱性が高い滑止シート（滑止部）４６が貼り付けられている。なお、補強板４０および滑止シート４６は、筐体１２と同系色とされている。
【００２６】
このような補強板４０を筐体１２に取り付ける場合、支持板部４２を筐体１２の内側から指挿入空間２７に挿入し、その先端をハンドル板部２４の凹部３５に差し込む。このようにして、支持板部４２をハンドル板部２４の下面側に配置した状態で取付板部４１を下板部２３の内端面に当接させる。この状態で筐体１２の内側からネジ４７を複数、具体的には二本それぞれ取付板部４１のネジ挿入穴４４に挿入し下板部２３のネジ穴３８に螺合させる。このようにして、補強板４０は、筐体１２に取り付けられることになる。
【００２７】
上記のように筐体１２に固定された状態の補強板４０は、支持板部４２が、ハンドル板部２４の下面３０側に設けられることになり、具体的には、ハンドル板部２４の下面３０の内側に形成された段差部３１に内側面部３３に当接するように配置され、その先端部がハンドル板部２４の凹部３５に差し込まれた状態になる。このとき、補強板４０の下面に貼り付けられた滑止シート４６はハンドル板部２４の外側面部３２よりも若干高い位置に位置することになり、また、取付板部４１が指挿入空間２７の内側を閉塞して指挿入空間２７の底部を構成する。
【００２８】
そして、補強板４０が取り付けられた筐体１２が、ディスプレイ本体１１の背面側を覆うように取り付けられ、ディスプレイ本体１１にネジ止めされる。この状態で、筐体１２の外側から指挿入空間２７を介して複数、具体的には二本のネジ５０をそれぞれ補強板４０の取付板部４１のネジ挿入穴４５に挿入し内部シャーシ１３の背面板部５２のネジ穴５１に螺合させる。これにより、補強板４０は、内部シャーシ１３に直付けで固定される。
【００２９】
以上に述べた本実施形態のディスプレイ装置１０によれば、筐体１２に一体に形成された合成樹脂製のハンドル板部２４を金属製の補強板４０で補強するため、ハンドル板部２４の厚みを厚くすることなく、強度を確保することができる。したがって、ハンドル板部２４の薄型化が可能となり、デザインの自由度を向上できる。つまり、ハンドル板部２４を、一枚の板状をなして筐体１２の上面位置に配置することができるため、良好なデザインにできる。また、ハンドル板部２４のために必要なスペースの省スペース化が図れる。しかも、金属製の補強板４０で補強するため、コスト増を抑制できる。
【００３０】
また、補強板４０がハンドル板部２４の下面３０側に設けられているため、筐体１２とは異なる材質である金属製の補強板４０が外観し難くなり、外観を損なうことを防止できる。
さらに、ハンドル板部２４の下面３０の内側に形成された段差部３１に補強板４０が配置されているため、金属製の補強板４０がさらに外観し難くなり、外観を損なうことを確実に防止できる。
加えて、補強板４０の外端部が筐体１２の凹部３５に差し込まれているため、補強板４０の外端部の露出を確実に防止できる。
【００３１】
また、補強板４０の下面に滑止シート４６が設けられているため、把持性を向上できる。
さらに、補強板４０が筐体１２に取り付けられるため、筐体１２に取り付けて取り扱うことができ、取り扱い性を向上できる。つまり、補強板４０を予め筐体１２に取り付けておくことで、その後の取り扱いが容易となる。
加えて、補強板４０が筐体１２内に設けられた金属製の内部シャーシ１３に固定されているため、樹脂製のハンドル板部２４をさらに確実に補強することができる。
【図面の簡単な説明】
【００３２】
【図１】本発明の一実施形態のディスプレイ装置を示す背面側から見た分解斜視図である。
【図２】本発明の一実施形態のディスプレイ装置を示す背面側から見た斜視図である。
【図３】本発明の一実施形態のディスプレイ装置の要部を示す拡大背面図である。
【図４】本発明の一実施形態のディスプレイ装置の図３に示すＸ−Ｘ線に沿う断面図である。
【符号の説明】
【００３３】
１０  ディスプレイ装置
１２  筐体
１３  内部シャーシ
２４  ハンドル板部（ハンドル部）
２７  指挿入空間
３１  段差部
４０  補強板（補強部材）
４６  滑止シート（滑止部）
【図１】
2007178503.tif 000003
【図２】
2007178503.tif 000004
【図３】
2007178503.tif 000005
【図４】
2007178503.tif 000006